(57)【要約】 【課題】本発明が目的とする技術的課題は、短絡点の接触信頼度を確保できる表示装置を提供することにある。【解決手段】本発明に係る表示装置は、第１表示板と第２表示板と複数の短絡点とを含む。第１表示板は、第１電極が形成されている。第２表示板は、第２電極が形成されている。短絡点は、第１電極と第２電極とを電気的に連結する。第１表示板は、第１辺と第２辺とを有する。第２辺は、第１辺とともに、第１角部を定義する。第２表示板は、第３辺と第４辺とを有する。第４辺は、第３辺とともに、第２角部を定義する。第１辺及び第２辺と第３辺及び第４辺とは、投影面において互いに一致する。複数の短絡点のうち１つ以上の短絡点は、第１辺及び第２辺のいずれかに隣接するように偏って配置されている。【選択図】  図１
2005084695.tif 000002
【特許請求の範囲】
【請求項１】
第１電極が形成されている第１表示板と、
第２電極が形成されている第２表示板と、
前記第１電極と前記第２電極とを電気的に連結する複数の短絡点と、
を含み、
前記第１表示板は、
第１辺と、
前記第１辺とともに、第１角部を定義する第２辺と、
を有し、
前記第２表示板は、
第３辺と、
前記第３辺とともに、第２角部を定義する第４辺と、
を有し、
前記第１辺及び前記第２辺と前記第３辺及び前記第４辺とは、投影面において互いに一致し、
前記複数の前記短絡点のうち前記第１角部付近に位置する前記短絡点は、前記第１辺及び前記第２辺のいずれかに隣接するように偏って配置されている、
表示装置。
【請求項２】
前記第１辺及び前記第２辺のうち前記短絡点から遠く離れている辺と前記短絡点との間の距離は、５mm以上である、
請求項１に記載の表示装置。
【請求項３】
画像を表示し、
前記第１辺及び前記第２辺に平行な境界線を有する画面表示部をさらに含み、
前記短絡点は、前記画面表示部の境界線と前記第１辺及び前記第２辺との間に位置する、
請求項１に記載の表示装置。
【請求項４】
画素電極を有する薄膜トランジスタ表示板と、
前記画素電極と対向する共通電極を有する対向表示板と、
前記共通電極と接触されて前記共通電極に共通電圧を伝達し、前記薄膜トランジスタ表示板と前記対向表示板との間に位置する複数の短絡点と、
を含み、
前記薄膜トランジスタ表示板は、
第１辺と、
前記第１辺とともに、第１角部を定義する第２辺と、
を有し、
前記対向表示板は、
第３辺と、
前記第３辺とともに、第２角部を定義する第４辺と、
を有し、
前記第１辺及び前記第２辺と前記第３辺及び前記第４辺とは、投影面において互いに一致し、
前記複数の前記短絡点のうち前記第１角部付近に位置する前記短絡点は、前記第１辺及び前記第２辺のいずれかに隣接するように偏って配置されている、
液晶表示装置。
【請求項５】
前記第１辺及び前記第２辺のうち前記短絡点から遠く離れている１辺と前記短絡点との間の距離は、５mm以上である、
請求項４に記載の液晶表示装置。
【請求項６】
画像を表示し、前記第１辺及び前記第２辺と平行な境界線を有する画面表示部をさらに含み、
前記短絡点は、前記画面表示部の境界線と前記第１辺及び前記第２辺との間に位置する、
請求項４に記載の液晶表示装置。
【発明の詳細な説明】
【技術分野】
【０００１】
本発明は表示装置に関し、より詳細には互いに対向する電極が各々形成されている２つの表示板を含む表示装置に関する。
【背景技術】
【０００２】
液晶表示装置は、現在最も広く用いられている平板型の表示装置の１つであって、電界生成電極が形成されている２枚の表示板と、それらの間に挿入されている液晶層とを含む。２つの電界生成電極に電圧が印加されて液晶層に電界が生成され、電場の強さが変化して液晶層の液晶分子が再配列されることにより透過する光の透過率が調節されて画像が表示される。
【０００３】
液晶表示装置では、２つの表示板に電界生成電極が各々形成され、電界生成電極に印加される電圧をスイッチングする薄膜トランジスタを含む液晶表示装置が主流である。一般に、２つの表示板のうちの１つの表示板には、ゲート線及びデータ線などのような複数の信号線と、画素電極と、画素電極に伝達されるデータ信号を制御する薄膜トランジスタとが形成されている（以下、薄膜トランジスタが形成されている方の表示板を薄膜トランジスタ表示板と言う）。２つの表示板のうちのもう１つの表示板には、画素電極と対向する共通電極と、画素に開口部を有するブラックマトリックスとが形成されている（以下、薄膜トランジスタが形成されていない方の表示板を対向表示板と言う）。
【発明の開示】
【発明が解決しようとする課題】
【０００４】
このような液晶表示装置において、対向表示板の共通電極には、薄膜トランジスタ表示板と対向表示板との間に形成されている短絡点（short point）を通じて共通電圧が伝達されており、短絡点には主に銀ペースト（silver paste）が用いられる。
【０００５】
このとき、銀ペーストは画像が表示される画面表示部の外に設けられるが、共通電圧を均一に伝達してフリッカー（flicker）などを抑制させ表示特性を確保するために、画面表示部の外の角部に各々配置する。
【０００６】
ところが、液晶表示装置の製造工程において２つの表示板の間に液晶物質を形成した後、表示板の周縁の一部を切断する際に短絡点が２つの表示板の電極の１つから分離されてしまう問題点が発生する。特に、２つの表示板の境界線が一致する角部では、切断時の衝撃によって短絡点が分離される現象が著しく、このため表示装置の特性が低下する。
【０００７】
本発明が目的とする技術的課題は、短絡点の接触信頼度を確保できる表示装置を提供することにある。
【課題を解決するための手段】
【０００８】
本発明に係る表示装置は、第１表示板と第２表示板と複数の短絡点とを含む。第１表示板は、第１電極が形成されている。第２表示板は、第２電極が形成されている。短絡点は、第１電極と第２電極とを電気的に連結する。第１表示板は、第１辺と第２辺とを有する。第２辺は、第１辺とともに、第１角部を定義する。第２表示板は、第３辺と第４辺とを有する。第４辺は、第３辺とともに、第２角部を定義する。第１辺及び第２辺と第３辺及び第４辺とは、投影面において互いに一致する。複数の短絡点のうち１つ以上の短絡点は、第１辺及び第２辺のいずれかに隣接するように偏って配置されている。
【０００９】
この表示装置では、第１辺及び第２辺と第３辺及び第４辺とが、投影面において互いに一致する。数の短絡点のうち１つ以上の短絡点が、第１辺及び第２辺のいずれかに隣接するように偏って配置されている。これにより、製造工程時において、第１表示板と第２表示板との周縁の一部が切断される際に発生する衝撃が短絡点に影響することを低減することができる。
【００１０】
したがって、第１表示板と第２表示板との周縁の一部が切断される際に発生する衝撃が短絡点に影響することを低減することができるので、短絡点の接触信頼度を確保することができる。
【発明の効果】
【００１１】
本発明に係る表示装置では、第１表示板と第２表示板との周縁の一部が切断される際に発生する衝撃が短絡点に影響することを低減することができるので、短絡点の接触信頼度を確保することができる。
【発明を実施するための最良の形態】
【００１２】
以下、添付した図面を参照して、本発明の実施形態に対して、本発明が属する技術分野における通常の知識を有する者が容易に実施することができるように詳細に説明する。しかし、本発明は多様な形態で実現することができ、ここで説明する実施形態に限定されない。
【００１３】
図面は、各種層及び領域を明確に表現するために、厚さを拡大して示している。明細書全体を通じて類似した部分については同一な図面符号を付けている。層、膜、領域、板などの部分が他の部分の“上に”あるとする時、これは他の部分の“すぐ上に”ある場合に限らず、その中間に更に他の部分がある場合も含む。逆に、ある部分が他の部分の“すぐ上に”あるとする時、これは中間に他の部分がない場合を意味する。
【００１４】
本発明の実施形態による薄膜トランジスタ表示板及びこれを含む表示装置について図面を参考にして詳細に説明する。
【００１５】
まず、図１〜図４を参照して本発明の実施形態による液晶表示装置の構造について概略的に説明する。
【００１６】
図１は本発明の実施形態による液晶表示装置１の構造を概略的に示した配置図であり、図２は本発明の実施形態による液晶表示装置用薄膜トランジスタ表示板で画面表示部と連結部とを拡大した配置図であり、図３は図２に示すIII-III’線による薄膜トランジスタ表示板を含む液晶表示装置１の断面図であり、図４は図１に示す液晶表示装置１のIV-IV’線による短絡部と共に連結部を追加して示した断面図である。
【００１７】
図１に示すように、本発明の実施形態による液晶表示装置１は、第１表示板１００、第２表示板２００、液晶層３００及び短絡点（short point）６００を含む。第２表示板２００は、第１表示板１００に対向する。液晶層３００は、第１表示板１００と第２表示板２００との間に挿入されている（図３参照）。短絡点（short point）６００は、第１表示板１００と第２表示板２００とを電気的に連結する。
【００１８】
第１表示板１００は、薄膜トランジスタ表示板（薄膜トランジスタが形成されている方の表示板）１００であり、複数のゲート線１２１が横方向にのびており、複数のデータ線１７１が縦方向にのびている。ここで、点線で囲まれた部分は、ゲート線１２１とデータ線１７１が交差する部分であり、画像が表示される画面表示部Ｄである。画面表示部Ｄには薄膜トランジスタと画素電極とが形成されているが、これについては後で詳細に説明する。対向表示板２００に覆われない薄膜トランジスタ表示板１００の周縁には、ゲート駆動集積回路（図１の左周縁部）またはデータ駆動集積回路（図１の上方周縁部）の出力端子が連結される連結部Ｐが配置されている。連結部Ｐは、ゲート駆動集積回路（図１の左周縁部）またはデータ駆動集積回路（図１の上方周縁部）が実装される部分である。連結部Ｐには、ゲート線１２１及びデータ線１７１の端部が群集している。
【００１９】
短絡部は、画面表示部Ｄの外側の連結部Ｐの間に位置し、薄膜トランジスタ表示板１００と対向表示板２００とを電気的に連結している。短絡部は、銀ペーストなどからなる短絡点６００を有する。短絡点６００は、一端が連結部Ｐまでのびて形成された共通電圧用信号線６１１と連結されている（図１上部の短絡点６００参照）。短絡点６００は、外部から共通電圧用信号線６１１を経由して共通電圧の供給を受け、対向表示板２００に設けられている共通電極２５０（図３参照）に共通電圧を伝達する。また、短絡点６００は、画面表示部Ｄの外側の第１表示板１００と第２表示板２００とが重畳する下部の角部にも配置されている。短絡点６００は、図１において、第１表示板１００と第２表示板２００との境界線が全て一致する右側の角部に配置されており。角部を定義する２辺のうちの１辺に隣接して配置されている。このように、角部もしくは角部を定義する辺に位置する短絡点６００は、対向表示板２００に全面的に形成されている共通電極２５０に共通電圧が均一に伝達されるようにするものである。角部を定義する辺に位置する短絡点６００は、共通電圧用信号線６１１を通じて他の短絡点６００と電気的に連結されている。ここで、右側の角部に隣接して配置されている短絡点６００のうち実線で表示した短絡点６１０は、第１表示板１００と第２表示板２００との右側辺に隣接して配置されている。一方、右側の角部に隣接して配置されている短絡点６００のうち点線で表示した下側辺に隣接して配置されている短絡点６２０は追加され得るものであり、図１には、他の実施形態において配置され得る位置が示されている。この時、右側辺または下側辺に偏って配置された短絡点６００（短絡点６１０，短絡点６２０）は、画面表示部Ｄの辺と第１表示板１００及び第２表示板２００の辺との間に位置している。短絡点６００（短絡点６１０，短絡点６２０）と角部を定義する２辺のうちの短絡点６００から遠く離れた右側または下側辺との間の距離（d）は、５mm以上が好ましい。このような本発明の実施形態による構造では、第１表示板１００と第２表示板２００との境界線が一致する角部において、第１表示板１００と第２表示板２００との辺に偏って短絡点６００を配置することによって、液晶表示装置１の製造工程時、第１表示板１００と第２表示板２００との周縁の一部を切断する時に発生する衝撃の短絡点６００に与える影響を減らすことができる。したがって、短絡点６００が第１表示板１００と第２表示板２００とのうちの１つから分離されず、短絡点の接触信頼度を向上させることができる。
【００２０】
本発明の実施形態による薄膜トランジスタ表示板１００は、上述のように、ゲート線１２１またはデータ線１７１の端部が位置し、駆動集積回路と連結される連結部Ｐを有する。一方、他の実施形態では、ゲート駆動回路またはデータ駆動回路が薄膜トランジスタ表示板１００の上部に直接設けられ、薄膜トランジスタ表示板１００が連結部Ｐを持たないようにしてもよく、この場合、ゲート線１２１またはデータ線１７１の端部は、ゲート駆動回路またはデータ駆動回路の出力端に直接連結されることになる。
【００２１】
次に、図１〜図４を参照して本発明の実施形態による液晶表示装置１における画面表示部Ｄ、連結部Ｐ及び短絡部について詳細に説明する。
【００２２】
本発明の実施形態による液晶表示装置用薄膜トランジスタ表示板１００には、図１及び図２のように、下部絶縁基板１１０上に主に図面上横方向にのびている複数のゲート線１２１が形成されている。ゲート線１２１は、比抵抗（resistivity）の低い銀（Ag）または銀合金（Ag alloy）またはアルミニウム（Al）またはアルミニウム合金（Al alloy）からなる単一膜、あるいはこのような単一膜に加えて、物理的、電気的な接触特性が良いクロム（Cr）、チタニウム（Ti）、タンタル（Ta）などの物質からなる他の膜を含む多層膜で形成され得る。各ゲート線１２１の一部は、複数の分枝がのびて薄膜トランジスタのゲート電極１２４を構成する。このとき、ゲート線１２１の側面は傾斜しており、傾斜角は水平面から３０〜８０度の範囲である。
【００２３】
本発明の他の実施形態によれば、液晶蓄電器の電荷保存能力を向上させる維持蓄電器の一電極をなす複数の維持電極（図示せず）が基板１１０上に形成されている。維持電極（図示せず）は、共通電極電圧（“共通電圧”と略称する）などの予め決められた電圧の印加を外部から受ける。共通電圧はまた、上述のように、薄膜トランジスタ表示板１００と対向する対向表示板２００（図３参照）の共通電極２５０（図３参照）にも印加される。
【００２４】
ゲート線１２１及び維持電極（図示せず）の上には、窒化シリコン（SiNx）などからなるゲート絶縁膜１４０（図３参照）が形成されている。
【００２５】
ゲート絶縁膜１４０の上部には、水素化非晶質シリコンなどからなる複数の島状半導体１５０（図３参照）が形成されている。各島状半導体１５０は、ゲート電極１２４上部に位置し（図３参照）、薄膜トランジスタのチャンネルを形成している。このとき、島状半導体１５０は、後に形成されるデータ線１７１（図３参照）に沿ってのびて線状の形状をしていてもよい。島状半導体１５０の上部には、シリサイドまたはn型不純物が高濃度にドーピングされているn+水素化非晶質シリコンなどからなる複数組の線状及び島状抵抗性接触部材１６３、１６５（図３参照）が形成されている。各島状抵抗性接触部材１６５（図３参照）は、ゲート電極１２４を中心に線状抵抗性接触部材１６３（図３参照）の反対側に位置し、線状抵抗性接触部材１６３（図３参照）と分離されている。島状半導体１５０と抵抗性接触部材１６３、１６５（図３参照）との側面は傾斜しており、傾斜角は３０〜８０度の範囲である。島状半導体１５０がデータ線１７１に沿って線状である場合には、抵抗性接触部材１６３も線状であってもよい。
【００２６】
抵抗性接触部材１６３、１６５（図３参照）及びゲート絶縁膜１４０（図３参照）の上には、複数のデータ線１７１と薄膜トランジスタのドレーン電極１７５とが形成されている。データ線１７１とドレーン電極１７５とは、比抵抗の低いAlまたはAgなどから形成されていてもよいし、ゲート線１２１のように、他の物質と接触特性が優れた導電物質を含んでいてもよい。データ線１７１は、主に図面上縦方向にのびてゲート線１２１と交差している。各データ線１７１からのびた複数の枝は、薄膜トランジスタのソース電極１７３を構成する。ソース電極１７３とドレーン電極１７５とは、それぞれ、抵抗性接触部材１６３、１６５の上部に少なくとも一部分が位置しており、互いに分離されており、ゲート電極１２４に対して互いに反対側に位置している。
【００２７】
また、図４に示すように、ゲート絶縁膜１４０の上部には、データ線１７１と同じ層として形成される共通電圧用信号線６１１（図１参照）が形成されている。このとき、共通電圧用信号線６１１は、伝達される共通信号が歪曲されるのを最少化するために広い線幅を有し、ゲート線１２１と同一層状構造としてもよい。
【００２８】
このとき、図３に示すデータ線１７１は、ゲート線１２１と同一の層として形成されてもよいし、維持電極（図示せず）と重畳する維持蓄電器用導電体と同一の層として形成されてもよい。
【００２９】
データ線１７１及びドレーン電極１７５の側面は、３０〜８０度の範囲の傾斜角を有していてもよい。
【００３０】
島状半導体１５０とデータ線１７１及びドレーン電極１７５との間に位置する抵抗性接触部材１６３、１６５は、島状半導体１５０とデータ線１７１及びドレーン電極１７５との間の接触抵抗を低くする。
【００３１】
共通電圧用信号線６１１、データ線１７１及びドレーン電極１７５とこれらによって覆われない島状半導体１５０及びゲート絶縁膜１４０の上部には、保護膜１８０（図３参照）が形成されている。保護膜１８０は、シリコンまたは窒化シリコンなどの絶縁物質または低誘電率のアクリル系の有機絶縁物質またはSiOCまたはSiOFなどのように、４．０以下の低い誘電率の低誘電伝率絶縁物質からなる。保護膜１８０は、化学気相蒸着法によって形成される。このような保護膜１８０は、ドレーン電極１７５を露出する接触孔１８５を有している。また、保護膜１８０は、複数の接触孔１８２（図２参照）を有している。接触孔１８２（図２参照）は、連結部Ｐ（図１参照）に位置し、データ線１７１の端部１７９（図２参照）を露出する。さらに、保護膜１８０は、複数の接触孔１８１（図２参照）を有している。接触孔１８１（図２参照）は、ゲート絶縁膜１４０と共にゲート線１２１の端部１２９（図２参照）を露出する。接触孔１８２、１８１（図２参照）は、ゲート線１２１及びデータ線１７１とその駆動回路（図示せず）との電気的接続のためのものである。さらに、図４に示す保護膜１８０は、共通電圧用信号線６１１（図１参照）を露出する接触孔１８６を少なくとも１つ以上有し、接触孔１８１（図２参照）に隣接して共通電圧用信号線６１１（図１参照）の端部を露出する接触孔１８４を有する。
【００３２】
保護膜１８０上には、ITO（indium tin oxide）またはIZO（indium zinc oxide）などの透明な導電物質からなる画素電極１９０が形成されている。画素電極１９０は、接触孔１８５を通じてドレーン電極１７５と物理的・電気的に連結されている。
【００３３】
画素電極１９０は、薄膜トランジスタからデータ電圧を受けて対向表示板２００の共通電極２５０と共に電界を生成する。画素電極１９０への印加電圧に変化を与えられると、２つの電界生成電極（画素電極１９０、共通電極２５０）の間の液晶層の分子配列に変化が生じる。電気回路の観点からは、画素電極１９０及び共通電極２５０は、電荷を保存する液晶誘電体蓄電器を構成する。
【００３４】
画素電極１９０は、ゲート線１２１及びデータ線１７１と重畳して形成されてもよい。この場合、ゲート線１２１及びデータ線１７１と重畳しない部分に形成される画素電極１９０の面積を低減することが可能であるので、開口率を上げることが可能である。また、画素電極１９０とゲート線１２１及びデータ線１７１とは保護膜１８０を介して重畳されるので、複数の維持蓄電器を構成して、画素電極１９０の電荷保持能力を強化することが可能である。維持蓄電器は、画素電極１９０と共通電極２５０とで形成される液晶蓄電器と並列に連結されている。
【００３５】
一方、保護膜１８０の上には、図３に示すように、複数の接触補助部材８１、８２が形成されている。接触補助部材８１は、接触孔１８１を通じてゲート線１２１の露出された端部１２９と連結されている。接触補助部材８２は、接触孔１８２を通じてデータ線１７１の露出された端部１７９と連結されている。接触補助部材８１、８２は、ゲート線１２１及びデータ線１７１の露出された端部１２９、１７９を保護し、薄膜トランジスタ表示板と駆動回路との接着性を補完するためのものであって、必須的なものではない。接触補助部材８１、８２は、画素電極１９０と同じ層で形成される。
【００３６】
また、図４に示すように、共通電圧用信号線６１１（図１参照）の端部を露出する接触孔１８４には、共通信号用接触補助８４が形成されている。
【００３７】
また、共通電圧用信号線６１２（図１参照）に接続される短絡部（例えば、短絡点６１０）には、画素電極１９０（図３参照）と同じ層からなる共通接触補助部材８６が設けられている。それぞれの共通接触部材８６は、２つ以上の接触孔１８６を通じて共通電圧用信号線６１２と各々連結されている。このように、本発明の実施形態による薄膜トランジスタ表示板において、少なくとも２つ以上の接触孔１８６を通じて共通電圧用信号線６１１と共通接触補助部材８６が広い面積で接触しているので、これらの接触抵抗を最少化することができる。
【００３８】
本発明の他の実施形態によれば、ゲート線１２１の端部１２９に隣接してゲート線１２１と同じ層で線幅が広くなった金属片（metal island）を形成し、その上のゲート絶縁膜１４０及び保護膜１８０に接触孔を設けた後、接触補助部材８１と連結する。データ線１７１の端部１７９に隣接してデータ線１７１と同じ層で線幅が広くなった金属片（metal island）を形成し、その上の保護膜１８０に接触孔を設けた後、接触補助部材８２と連結する。
【００３９】
そして、図３に示す薄膜トランジスタ表示板１００と対向する対向表示板２００において、上部絶縁基板２１０の上（図面では下）には、ゲート線１２１とデータ線１７１とによって囲まれた領域に配置されている画素電極１９０に対応する部分に開口部を有するブラックマトリックス２２０が形成されている。また、上部絶縁基板２１０の上（図面では下）には、赤、緑、青のカラーフィルター２３０が形成されている。カラーフィルター２３０は、ゲート線１２１とデータ線１７１とによって囲まれた領域に位置し、周縁部がブラックマトリックス２２０と重畳する。このとき、ブラックマトリックス２２０の上部（図面では下）において、赤、緑、青のカラーフィルター２３０の周縁部は互いに重なるようにしてもよい。ブラックマトリックス２２０及びカラーフィルター２３０の上部（図面では下）には、絶縁膜２４０が形成されている。絶縁膜２４０は、平坦化特性を有し、絶縁物質から形成されている。絶縁膜２４０の上部（図面では下）には、透明な導電物質からなる共通電極２５０が形成されている。
【００４０】
本発明の他の実施形態では、図１に示す共通電圧用信号線６１１がゲート線１２１と同一の層に位置する金属片を含み、保護膜１８０の接触孔を通じて共通接触補助部材１９６（図示せず）に接触されていてもよい。
【００４１】
また、本発明の他の実施形態では、図３に示すカラーフィルター２３０が薄膜トランジスタ表示板１００に形成されており、ゲート駆動集積回路もしくはデータ駆動回路が薄膜トランジスタ基板に形成されている。この実施形態では、ゲート線１２１及びデータ線１７１の端部が駆動回路の出力端に直接に連結されており、接触補助部材８１，８２，８４，８６が不要となる。
【００４２】
本発明の実施形態による短絡部を持つ液晶表示装置１は、この他にも様々な変形された形態及び方法によって製造することができる。このような液晶表示装置１のうち視野角を広くするための様々な方案が開発されているが、その中でも液晶分子を上下表示板に対して垂直に配向し、画素電極とその対向電極である共通電極に一定の切開パターンを形成したり、突起を形成する方法が有力視されている。
【００４３】
切開パターンを形成する方法には、画素電極と共通電極とに各々切開パターンを形成してこれら切開パターンによって形成されるフリンジフィールド（fringe field）を利用して液晶分子が横になる方向を調節することによって視野角を広くする方法がある。突起を形成する方法は、上下表示板に形成されている画素電極と共通電極上とに各々突起を設けて、突起によって歪曲される電場を利用して液晶分子の横になる方向を調節する方法である。他には、下部表示板上に形成されている画素電極には切開パターンを形成し、上部表示板に形成されている共通電極上には突起を形成して、切開パターンと突起によって形成されるフリンジフィールドを利用して液晶の横になる方向を調節することによってドメインを形成する方法がある。
【００４４】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【産業上の利用可能性】
【００４５】
本発明にかかる薄膜トランジスタ表示板及びこれを含む表示装置は、短絡点の接触信頼度を確保することができるという効果を有し、薄膜トランジスタ表示板及びこれを含む表示装置等として有用である。
【図面の簡単な説明】
【００４６】
【図１】本発明の実施形態による液晶表示装置の構造を概略的に示した配置図である。
【図２】本発明の実施形態による液晶表示装置用薄膜トランジスタ表示板の画面表示部及び連結部を拡大示した配置図である。
【図３】図２に示すIII-III’線による薄膜トランジスタ表示板を含む液晶表示装置の断面図である。
【図４】図１に示す液晶表示装置のIV-IV’線による短絡部と共に連結部を追加して示した断面図である
【符号の説明】
【００４７】
１００  第１表示板
２００  第２表示板
１２１  ゲート線
１２４  ゲート電極
１４０  ゲート絶縁膜
１５０  半導体
１６３、１６５  抵抗性接触部材
１７１  データ線
１７５  ドレーン電極
１８０  保護膜
１９０  画素電極
２５０  共通電極
３００  液晶物質
６００  短絡点
【図１】
2005084695.tif 000003
【図２】
2005084695.tif 000004
【図３】
2005084695.tif 000005
【図４】
2005084695.tif 000006